(57)【要約】【課題】プリンタ装置において、シャーシと回路基板間等のグランド接続を、簡単な構成で低コストに、かつ配線し易くできるプリンタ装置を提供する。【解決手段】プリンタ装置１は、本体シャーシ４と、一対の支持フレーム６と、支持フレーム６に取り付けられたサブシャーシ１０と、サブシャーシ１０に取り付けられたモータ９及びモータ駆動回路１２を有する回路基板１１と、ＦＣＣを用いた接地ケーブル部２０とを備える。接地ケーブル部２０は、その両端に芯線がＦＦＣの一面側に装着された接続端子部２２ａ、２２ｂを有し、この接続端子部２２ａ、２２ｂの貫通孔において、ねじ止めして芯線を全て本体シャーシ４とサブシャーシ１０とに接地させる。これにより、接地線を簡単な構成で安価にできると共に、配線の柔軟性により配線し易くできる。また、配線の短距離化と多芯線による低インピーダンス化により、ＥＭＩ対策及びＥＭＤ対策の効果を向上させることができる。【選択図】図１
2008142957.tif 000002
【特許請求の範囲】
【請求項１】
筐体と、
前記筐体の底面部に固定され、板金で形成された本体シャーシと、
前記本体シャーシに略直角に、互いに対向した一対の支持フレームと、
用紙に画像を印刷する印刷ヘッドと、
前記支持フレームに回転自在に支持され、前記印刷ヘッドの下方にあって用紙を搬送する複数の用紙送りローラと、
前記用紙送りローラを回転させるモータと、
前記モータを支持し、前記一対の支持フレームに略平行に、かつ該一対の支持フレームのうちのいずれかの支持フレームの外側に取り付けられた、モータ支持用の板金製のサブシャーシと、
前記サブシャーシに支持され、前記モータを駆動するモータ駆動回路を有する回路基板と、を備えたプリンタ装置において、
前記本体シャーシとサブシャーシとを電気的に接続する絶縁被覆された複数の芯線を含むフレキシブルフラットケーブル（以下、ＦＦＣという）を、さらに備え、
前記ＦＦＣは、その両端で絶縁被覆を剥がして露出された複数の芯線が該ＦＦＣの一面側に装着された補強フィルムで保持される接続端子部を有し、
前記接続端子部は、前記本体シャーシとサブシャーシとの接続のためにねじ止め用の略円形の貫通孔を有し、
前記モータを前記回路基板に取り付けると共に、この回路基板の接地部分を前記サブシャーシに接地させ、前記本体シャーシと少なくとも前記回路基板又はサブシャーシとを、前記ＦＦＣを前記貫通孔において前記補強フィルム側からねじ止めすることにより電気的に接続させ、前記接続端子部の芯線を全て接地線として用いることを特徴とするプリンタ装置。
【請求項２】
筐体と、
前記筐体に固定され、板金で形成された本体シャーシと、
前記本体シャーシに略直角に、互いに対向した一対の支持フレームと、
用紙に画像を印刷する印刷ヘッドと、
前記支持フレームで回転自在に支持された複数の用紙送りローラと、
前記用紙送りローラを回転させるモータと、
前記モータを駆動するモータ駆動回路を有する回路基板と、
前記回路基板を装着する板金製のサブシャーシと、を備えたプリンタ装置において、
前記本体シャーシと前記回路基板の接地部又はサブシャーシとを接続する絶縁被覆された複数の芯線を含むフレキシブルフラットケーブル（以下、ＦＦＣという）を、さらに備え、
前記本体シャーシと少なくとも前記回路基板の接地部又はサブシャーシとを前記ＦＦＣを介して接地させることを特徴とするプリンタ装置。
【請求項３】
前記ＦＦＣの複数の芯線を全て接地線として用いたことを特徴とするプリンタ装置。
【請求項４】
電子機器を構成する筐体と、
前記筐体に固定され、板金で形成された本体シャーシと、
前記筐体に固定され、前記電子機器を機能させる電子回路を有する回路基板と、
前記回路基板を搭載するサブシャーシと、を備えた接地接続装置において、
前記本体シャーシと少なくとも前記回路基板又は前記サブシャーシとを接続する絶縁被覆された複数の芯線を有するフレキシブルフラットケーブル（以下、ＦＦＣという）を、さらに備え、
前記ＦＦＣの複数の芯線を全て接地線として用いたことを特徴とする接地接続装置。
【請求項５】
前記ＦＦＣは、その両端で絶縁被覆を剥がして露出された複数の芯線が該ＦＦＣの一面側に装着された補強フィルムで保持される接続端子部を有し、
前記接続端子部は、前記本体シャーシとサブシャーシとの接続のためにねじ止め用の略円形の貫通孔を有し、
前記本体シャーシと少なくとも前記回路基板の接地部又はサブシャーシとを、前記ＦＦＣを前記貫通孔において前記補強フィルム側からねじ止めすることにより電気的に接続させ、前記接続端子部の芯線を全て接地線として用いることを特徴とする請求項４に記載の接地接続装置。
【発明の詳細な説明】
【技術分野】
【０００１】
本発明は、ＥＭＩ（不要電磁波）用の接地線を有する接地接続装置とそれを用いたプリンタ装置に関するものである。
【背景技術】
【０００２】
従来から、プリンタ装置を含めた電子機器の筐体内に収容された、能動素子を有した電子回路を含むプリント配線基板やシャーシ等では、特に高周波信号であるクロック信号や画像データ信号を処理する際、高周波電気信号が流れる信号ラインから不要電磁界放射が発生することにより、他の電子機器に妨害を与えることがある。また、接地するグランド間の電位レベルが不統一であると、静電気放電等が発生する可能性があり、半導体素子などを破壊する虞がある。この不要電磁界放射や静電気放電などを低減するには、接地線を低インピーダンスにすることが有効である。そこで、プリンタ装置では、複数のプリント配線基板間やプリント配線基板とシャーシとを接続する接地線において、接続線を太くすることにより低インピーダンス化して、不要電磁界放射を低減するＥＭＩ対策や静電気の放電を避けるためのＥＭＤ（静電気放電）対策等が行なわれている。このような従来のプリンタ装置を図５，図６（ａ）、（ｂ）に示す。これらの図において、プリンタ装置１００は、筐体１０１と、筐体１０１に固定され、板金で形成された本体シャーシ１０２と、本体シャーシ１０２に略直角な一対の支持フレーム１０３と、用紙１０４に画像を印刷する印刷ヘッド１０５と、印刷の用紙１０４を搬送する支持フレーム１０３に回転自在に支持された搬送ローラ１０６及び排紙ローラ１０７と、これらローラを回転させるモータ１０８と、支持フレーム１０３の一方の外側に取り付けられた板金によるサブシャーシ１０９と、サブシャーシ１０９に支持され、モータ１０８とモータ１０８を駆動するモータ駆動回路１１１を有する回路基板１１０と、を備えている。また、回路基板１１０の接地部はサブシャーシ１０９に接地され、サブシャーシ１０９と本体シャーシ１０２は、接地線１２０で接続されている。この接地線１２０は、図６（ａ）に示されるように、金属線１２１の両端にねじ止め用の接続金属端子１２２のかしめ部１２３でかしめて取り付けて形成されている。この接地線１２０は、図５及び図６（ｂ）に示すように、ねじ１１２により本体シャーシ１０２とサブシャーシ１０９に取り付けられている。しかしながら、この接地線１２０の金属線１２１は、接地間の接続抵抗を小さくするため太い電線が用いられているので、フレキシブル性に欠けて曲げ難く、筐体１０１内で配線する際、大きく円弧を成して引き回して配線する必要があり、配線処理をし難いと共に、配線距離を長くする必要があるため配線スペースを大きく取るという問題があり、また、太い金属線１２１や接続金属端子１２２を必要とすると共に、かしめなどの機械加工作業が増えて高価となっていた。
【０００３】
ところで、特許文献１に示されるように、コネクタと接続されるためのフレキシブルプリントケーブルにおいて、フレキシブルのコネクタと接続される側に折り曲げ部を設け、その端面の略全面にグランドパターンが配設されたフレキシブルプリントケーブルが知られている。しかしながら、このフレキシブルプリントケーブルは、シャーシとの導通にコネクタを必要としてコスト高になり、また、フレキシブルケーブル内の細い芯線の一部のみをグランド線としてシャーシと接続するだけなので、グランド線が抵抗値を持つ可能性があり、グランドの等電位の安定性が低下し、接地効果が不十分であった。
【０００４】
また、特許文献２に示されるように、電子機器のフレームグランドを兼ねる筐体の内部に配線された信号ケーブルを筐体に固定するための信号ケーブルの固定構造であって、グランド線が備えた信号ケーブルを持ち、グランド線がインピーダンス部材を介して筐体に固定される信号ケーブルの固定構造が知られている。しかしながら、信号ケーブルのグランド線にインピーダンス部材を必要とするなど構成が複雑で高価であった。また、特許文献３に示されるように、２層以上の構造を持つフレキシブルケーブルにおいて、最外層をシールドグランド層とし、シールドグランド層の一面に広い無絶縁部分を形成し、筐体及び他の筐体との間にシールドグランド層を挟んで接地接触させるＥＭＩ対策装置が知られている。しかしながら、この装置は、２層以上の構造をもつフレキシブルケーブル及びガスケットを必要とし構造が複雑で高価となっていた。
【０００５】
また、特許文献４に示されるように、基材フィルムの一方の面に少なくとも熱接着層を順次積層したフラットケーブル被覆材において、フラットケーブルの端子部となる導体が露出した略矩形の窓部の、フラットケーブル被覆材の導線流れ方向に直角の少なくとも１辺の縁部に易切断手段を設けて、フラットケーブル内のグランド導線を露出しやすくしたフラットケーブル被覆材、及びそれを用いたフラットケーブルが知られている。しかしながら、上記特許文献４は、上述の問題点に対し有効な解決策を開示していない。
【特許文献１】特開平５‐１４４５２１号公報
【特許文献２】特開平１１‐１７７２５８号公報
【特許文献３】特開２０００‐２６１１７９号公報
【特許文献４】特開２００４‐８７３１２号公報
【発明の開示】
【発明が解決しようとする課題】
【０００６】
本発明は、上記の問題を解決するためになされたものであり、シャーシと回路基板間等のグランド接続を、簡単な構成で低コストに、かつ配線し易くできるプリンタ装置を提供することを目的とする。
【課題を解決するための手段】
【０００７】
上記目的を達成するため請求項１の発明は、筐体と、前記筐体の底面部に固定され、板金で形成された本体シャーシと、前記本体シャーシに略直角に、互いに対向した一対の支持フレームと、用紙に画像を印刷する印刷ヘッドと、前記支持フレームに回転自在に支持され、前記印刷ヘッドの下方にあって用紙を搬送する複数の用紙送りローラと、前記用紙送りローラを回転させるモータと、前記モータを支持し、前記一対の支持フレームに略平行に、かつ該一対の支持フレームのうちのいずれかの支持フレームの外側に取り付けられた、モータ支持用の板金製のサブシャーシと、前記サブシャーシに支持され、前記モータを駆動するモータ駆動回路を有する回路基板と、を備えたプリンタ装置において、前記本体シャーシとサブシャーシとを電気的に接続する絶縁被覆された複数の芯線を含むフレキシブルフラットケーブル（以下、ＦＦＣという）を、さらに備え、前記ＦＦＣは、その両端で絶縁被覆を剥がして露出された複数の芯線が該ＦＦＣの一面側に装着された補強フィルムで保持される接続端子部を有し、前記接続端子部は、前記本体シャーシとサブシャーシとの接続のためにねじ止め用の略円形の貫通孔を有し、前記モータを前記回路基板に取り付けると共に、この回路基板の接地部分を前記サブシャーシに接地させ、前記本体シャーシと少なくとも前記回路基板又はサブシャーシとを、前記ＦＦＣを前記貫通孔において前記補強フィルム側からねじ止めすることにより電気的に接続させ、前記接続端子部の芯線を全て接地線として用いるものである。
【０００８】
請求項２の発明は、筐体と、前記筐体に固定され、板金で形成された本体シャーシと、前記本体シャーシに略直角に、互いに対向した一対の支持フレームと、用紙に画像を印刷する印刷ヘッドと、前記支持フレームで回転自在に支持された複数の用紙送りローラと、前記用紙送りローラを回転させるモータと、前記モータを駆動するモータ駆動回路を有する回路基板と、前記回路基板を装着する板金製のサブシャーシと、を備えたプリンタ装置において、前記本体シャーシと前記回路基板の接地部又はサブシャーシとを接続する絶縁被覆された複数の芯線を含むフレキシブルフラットケーブル（以下、ＦＦＣという）を、さらに備え、前記本体シャーシと少なくとも前記回路基板の接地部又はサブシャーシとを前記ＦＦＣを介して接地させるものである。
【０００９】
請求項３の発明は、請求項２に記載のプリンタ装置において、前記ＦＦＣの複数の芯線を全て接地線として用いたものである。
【００１０】
請求項４の発明は、電子機器を構成する筐体と、前記筐体に固定され、板金で形成された本体シャーシと、前記筐体に固定され、前記電子機器を機能させる電子回路を有する回路基板と、前記回路基板を搭載するサブシャーシと、を備えた接地接続装置において、前記本体シャーシと少なくとも前記回路基板又は前記サブシャーシとを接続する絶縁被覆された複数の芯線を有するフレキシブルフラットケーブル（以下、ＦＦＣという）を、さらに備え、前記ＦＦＣの複数の芯線を全て接地線として用いたものである。
【００１１】
請求項５の発明は、請求項４に記載の接地接続装置において、前記ＦＦＣは、その両端で絶縁被覆を剥がして露出された複数の芯線が該ＦＦＣの一面側に装着された補強フィルムで保持される接続端子部を有し、前記接続端子部は、前記本体シャーシとサブシャーシとの接続のためにねじ止め用の略円形の貫通孔を有し、前記本体シャーシと少なくとも前記回路基板の接地部又はサブシャーシとを、前記ＦＦＣを前記貫通孔において前記補強フィルム側からねじ止めすることにより電気的に接続させ、前記接続端子部の芯線を全て接地線として用いるものである。
【発明の効果】
【００１２】
請求項１の発明によれば、本体シャーシとサブシャーシとを接続する接地線にＦＣＣを用いるので、プリンタ装置の筐体内が狭くても柔軟性を持って配線でき、従来のフレキシブル性に欠ける太い電線を用いて接続金具を設けた場合に比較して、安価であると共に、折り曲げ易いため、配線スペースを小さくでき、配線距離を短縮できるので、接続する接地線のインピーダンスを低減させることができる。また、ＦＦＣは、その両端の接続端子部で複数の芯線が補強フィルムで保持されて平面的に補強されるので、ＦＦＣを貫通孔において補強フィルム側から強くねじ止めすることにより、複数の芯線を全て本体シャーシ及びサブシャーシに電気的に接続させることができる。即ち、接続端子部の芯線を、全て電気的に平行接続された１つの接地線として用いることができ、これによりフレキシブル性を持ち、かつ等価的に太い電線と同等の低インピーダンスの接地線を得ることができる。また、ＦＦＣの接続端子部は、ＦＣＣ用のコネクタを用いず補強フィルムを装着するだけの簡単な接続構成なので、コネクタのコストアップ無しに安価に形成することができる。これにより、ＦＦＣを用いて安価で低インピーダンスの接地線を得ることができ、本体シャーシとサブシャーシとの間のグランド電位の均一性を向上させることができるので、モータ駆動回路等で発生する高周波信号の接地線からの不要電磁界放射を低減させることができ、かつＥＭＤ対策としての効果も向上させることができる。また、ＦＦＣによるフレキシブルな配線により装置組立てにおける作業性が向上する。
【００１３】
請求項２の発明によれば、本体シャーシとサブシャーシとを接続する接地線にＦＣＣを用いるので、プリンタ装置の筐体内が狭くても柔軟性を持って配線でき、従来のフレキシブル性に欠ける太い電線を用いた場合に比較して、安価であると共に、折り曲げ易いため、配線スペースを小さくできる。また、配線距離を短縮できるので、接続する接地線のインピーダンスを低減させることができる。これにより、ＦＦＣを用いて安価で低インピーダンスの接地線を得ることができ、本体シャーシとサブシャーシとの間のグランド電位の均一性を向上させることができるので、モータ駆動回路等で発生する高周波信号の接地線からの不要電磁界放射を低減でき、かつＥＭＤ対策としての効果も向上させることができる。また、ＦＦＣによるフレキシブルな配線により装置組立てにおける作業性が向上する。
【００１４】
請求項３の発明によれば、ＦＦＣの芯線を全て電気的に平行接続する１つの接地線として用いることができるので、このＦＦＣを等価的に太い電線と見なすことができ、フレキシブル性を持った低インピーダンスの接地線を得ることができる。これにより、さらに低インピーダンスの接地線を得ることができ、本体シャーシとサブシャーシとの間のグランド電位の均一性をより向上させることができるので、ＥＭＩ対策としての効果及びＥＭＤ対策としての効果もさらに向上させることができる。
【００１５】
請求項４の発明によれば、本体シャーシとサブシャーシとを接続する接地線にＦＣＣを用いるので、電子機器の筐体内が狭くても柔軟性を持って配線でき、従来のフレキシブル性に欠ける太い電線を用いた場合に比較して、安価であると共に、折り曲げ易いため、配線スペースを小さくできると共に、配線距離を短縮できるので、接続する接地線のインピーダンスを低減させることができる。さらに、ＦＦＣの芯線を全て電気的に平行接続する１つの接地線として用いることができるので、このＦＦＣを等価的に太い電線と見なすことができ、フレキシブル性を持った低インピーダンスの接地線を得ることができる。これにより、ＦＦＣを用いて安価で低インピーダンスの接地線を得ることができ、本体シャーシとサブシャーシとの間のグランド電位の均一性を向上させることができるので、モータ駆動回路等で発生する高周波信号の接地線からの不要電磁界放射を低減でき、かつＥＭＤ対策としての効果も向上させることができる。また、ＦＦＣによるフレキシブルな配線により装置組立てにおける作業性が向上する。
【００１６】
請求項５の発明によれば、また、ＦＦＣは、その両端の接続端子部で複数の芯線が補強フィルムで保持されて平面的に補強されるので、ＦＦＣを貫通孔において補強フィルム側から強くねじ止めすることにより複数の芯線を全て本体シャーシ及びサブシャーシに電気的に確実に接触良く接続させることができる。また、ＦＦＣの接続端子部は、接続用のコネクタを用いず補強フィルムを装着するだけの簡単な構成なので、コネクタのコストアップ無しに安価に形成することができる。
【発明を実施するための最良の形態】
【００１７】
以下、本発明の一実施形態に係るプリンタ装置について、図１乃至図２を参照して説明する。プリンタ装置１は、例えばパソコンやメモリカード等から入力される印刷データを基に印刷用の用紙２に画像を記録する装置である。このプリンタ装置１は、この装置全体を形成する筐体３と、筐体３の底面部に固定され、板金で形成された本体シャーシ４と、本体シャーシ４に略直角に、筐体３に互いに対向して立設された一対の支持フレーム６ａ（６）、６ｂ（６）と、用紙２が装填される給紙トレイ５と、用紙２に画像を印刷する印刷部７（印刷ヘッド）と、この印刷部７の下方にあって支持フレーム６に回転自在に支持された、用紙２の搬送用の搬送ローラ８ａ（用紙送りローラ）及び用紙２の排紙用の排紙ローラ８ｂ（用紙送りローラ）と、を備える。搬送ローラ８ａと排紙ローラ８ｂとは、それらの長手方向が互いに平行を成すように配設されている。
【００１８】
また、プリンタ装置１は、各ローラ８ａ、８ｂを回転させるモータ９と、支持フレーム６に略平行に支持フレーム６ａの外側に取り付けられた板金製のモータ支持用のサブシャーシ１０と、サブシャーシ１０に支持され、モータ９とモータ９を駆動するモータ駆動回路１２とを有する回路基板１１と、支持フレーム６ａ、６ｂ間に亘って水平に支持され印刷部７を印刷方向に案内するガイドシャフト１５、１６と、本体シャーシ４とサブシャーシ１０とを電気的に接続する接地ケーブル部２０とを、さらに備える。
【００１９】
用紙２は、１枚又は複数枚のものが重ねられて、その下端側が筐体３内の給紙口３ａに挿入され、給紙トレイ５に載置される。搬送ローラ８ａは、給紙トレイ５からの用紙２を取り込んで印刷部７に搬送する。印刷部７は、インクを内蔵するインクカートリッジ７ａとインクカートリッジ７ａを着脱自在に保持するキャリア７ｂを備え、キャリア７ｂは、ガイドシャフト１５，１６に摺動自在に支持され、用紙２の搬送方向と直交する方向に往復運動して印刷を行う。この印刷部７は、搬送ローラ８ａから送られてきた用紙２に印刷を行い、この印刷された用紙２は、排紙ローラ８ｂにより筐体３の排紙口３ｂから排出される。
【００２０】
上記サブシャーシ１０は、支持フレーム６ａの外側に並行して取り付けられた板金により形成され、支持フレーム６ａとは所定の空間を空けてねじ９ａによりねじ止めされて取り付けられる。支持フレーム６ａとサブシャーシ１０との間の空間には、搬送ローラ８ａ及び排紙ローラ８ｂをモータ９で駆動するために、モータ９と各ローラ８ａ、８ｂとを連動させる複数の連動ギア等からなるローラ連動機構（不図示）が配設されている。
【００２１】
また、このサブシャーシ１０には、モータ９を駆動するモータ駆動回路１２を有する回路基板１１が装着され、モータ９は、この回路基板１１に搭載されてサブシャーシ１０に支持される。回路基板１１には、モータ９を制御するため制御部（不図示）から外部制御信号を供給する信号接続線１３がコネクタ１４を介して接続され、この信号接続線１３からの外部制御信号に基きモータ駆動回路１２は、モータ９を回転駆動する。また、モータ９は、その回転軸９ａがローラ連動機構に連結され、モータ９の回転が各ローラ８ａ、８ｂに伝達される。また、回路基板１１における複数の接地パターン部１１ａ（図２（ｂ）中の斜線部）は、金属ねじ１７でサブシャーシ１０に固定接地される。
【００２２】
接地ケーブル部２０の構成について、図３及び図４（ａ）、（ｂ）を参照して詳細に説明する。接地ケーブル部２０は、複数の導電性の芯線２３とこれら芯線２３を覆う樹脂製の絶縁被覆部２４からなるフレキシブルフラットケーブル（以下、ＦＦＣという）２１を有し、その両端に、本体シャーシ４及びサブシャーシ１０と電気的に接続する接続端子部２２（２２ａ、２２ｂ）が設けられている。この接続端子部２２では、絶縁被覆部２４を剥がして露出された複数の芯線２３がＦＦＣ２１の一面側に装着された補強フィルム２５で保持されている。この補強フィルム２５は、ポリイミド等の樹脂からなり、熱硬化性接着剤により、芯線２３と絶縁被覆部２４とに接合される。これにより、接続端子部２２は、ＦＦＣ２１の補強フィルム２５が装着されない面側に全ての芯線２３が電気的に接触する接触部を保ち、かつ平面的に補強される。また、この接続端子部２２は、ねじ止め用の略円形の貫通孔２６（２６ａ、２６ｂ）を有している。
【００２３】
また、接地ケーブル部２０は、本体シャーシ４及びサブシャーシ１０との接続において、接続端子部２２の貫通孔２６においてねじ１８によりねじ止めされる。このとき、接続端子部２２に補強フィルム２５を設けたことにより、補強フィルム２５側から強くねじ止めすることが可能となる。従って、このねじ止めにより、補強フィルム２５で保持された芯線２３を全て本体シャーシ４及びサブシャーシ１０に圧接して接触抵抗を低くして接続することができる。これにより、全部の芯線２３を確実に接地させることができ、接地ケーブル部２０の接地線としてのインピーダンスを下げることができる。また、ここで使用するねじ１８は、金属製に限らず軽い樹脂製ねじでもよい。
【００２４】
このように、本実施形態のプリンタ装置１によれば、本体シャーシ４とサブシャーシ１０とを接続する接地線にＦＣＣ２１で形成した接地ケーブル部２０を用いたことにより、プリンタ装置１の筐体３内が狭くても柔軟性を持って配線でき、従来のフレキシブル性に欠ける太い電線を用いた場合に比較して、安価であると共に、折り曲げ易いため、配線スペースを小さくでき、全体を小型化できる。また、この接地ケーブル部２０により配線距離を短縮できるので、その分、接地線のインピーダンスを低減させることができる。また、接地ケーブル部２０は、その両端の接続端子部２２で複数の芯線２３が補強フィルム２５により保持されて平面的に補強されるので、その貫通孔２６において補強フィルム２５側から強くねじ止めすることにより複数の芯線２３を全て本体シャーシ４及びサブシャーシ１０に電気的に接続させることができる。即ち、接続端子部２２の芯線２３を、全て電気的に平行接続された１つの接地線として用いることができ、これによりフレキシブル性を持ち、かつ等価的に太い電線と同等の低いインピーダンスの接地線を得ることができる。また、接地ケーブル部２０の接続端子部２２は、ＦＣＣ用のコネクタを用いず補強フィルム２５を装着するだけの簡単な接続構成なので、コネクタのコストアップ無しに安価に形成することができる。これにより、ＦＦＣ２１を用いて安価で低インピーダンスの接地線を得ることができ、本体シャーシ４とサブシャーシ１０と間のグランド電位の均一性を向上させることができるので、モータ駆動回路１２等で発生する高周波信号の接地線等からの不要電磁界放射を低減でき、かつＥＭＤ対策としての効果も向上させることができる。また、接地ケーブル部２０によるフレキシブルな配線により装置組立てにおける作業性が向上する。
【００２５】
なお、本発明は上記実施形態の構成に限定されるものではなく、発明の趣旨を変更しない範囲で適宜に種々の変形が可能である。例えば、フレキシブルケーブルの一端を部分的に分離し、複数箇所で接地することも容易にできる。また、本発明をプリンタ以外の電子機器における接地線の接続に適用することも可能である。
【図面の簡単な説明】
【００２６】
【図１】本発明の一実施形態に係るプリンタ装置の斜視図。
【図２】（ａ）は同上装置におけるＡ部の拡大図、（ｂ）は同上装置におけるＢ部の拡大図。
【図３】同上装置における接続ケーブル部の斜視図。
【図４】（ａ）は同上装置における接続ケーブル部の平面図、（ｂ）は同接続ケーブル部の側面図。
【図５】従来のプリンタ装置の斜視図。
【図６】（ａ）は従来のプリンタ装置における接地線の斜視図、（ｂ）は図５中のＰ部の拡大図。
【符号の説明】
【００２７】
１  プリンタ装置
２  用紙
３  筐体
４  本体シャーシ
６、６ａ、６ｂ  支持フレーム
７  印刷部（印刷ヘッド）
８ａ  搬送ローラ（用紙送りローラ）
８ｂ  排紙ローラ（用紙送りローラ）
９  サブシャーシ
１０  回路基板
１１  モータ
１２  モータ駆動回路
１８  ねじ
２０  接地ケーブル部（ＦＣＣ）
２１  ＦＣＣ
２２、２２ａ、２２ｂ  接続端子部
２４  絶縁被覆部
２５  補強フィルム
２６、２６ａ、２６ｂ  貫通孔
【図１】
2008142957.tif 000003
【図２】
2008142957.tif 000004
【図３】
2008142957.tif 000005
【図４】
2008142957.tif 000006
【図５】
2008142957.tif 000007
【図６】
2008142957.tif 000008